(57)【要約】【課題】省スペースでコンパクトにユニット化が可能で各種の扉や引戸にも好適な扉開閉遅延機構を提供する。【解決手段】機構特徴は、カム溝３２を形成している固定部材５，６と、固定部材に回動可能に取り付けられる回転ギア３８と、固定部材に揺動可能に取り付けられて扉１の開方向への移動に連繋して揺動する旋回体１２と、ピン３４と歯部１６ａを有し、旋回体１２の基端側と先端側との間を往復動可能なスライダー１６と、スライダーを付勢すると共にスライダーの最前進位置で付勢力を最小、最後退位置で付勢力を最大となるよう変位するばね部材１８とを備えている。扉１が開操作されると、旋回体１２が該開操作に連携して揺動され、スライダー１６がカム溝３２に対するピン３４の摺動を伴ってばね部材１８の付勢力を増大する方向へ摺動して歯部１６ａと回転ギア３８との噛み合いを形成し、該噛み合いを解放するまで開位置を保った後、閉位置へ移動される。【選択図】      図２
2006193883.tif 000002
【特許請求の範囲】
【請求項１】
本体側の枠部に対し扉を枠部開口を閉じる閉位置と開放する開位置とに移動切り換える場合に用いられるものであって、
前記本体に取り付けられてカム溝を形成している固定部材と、
前記固定部材に回動可能に取り付けられる回転ギアと、
前記固定部材に揺動可能に取り付けられて前記扉の閉位置から開方向への移動に連繋して基端側を支点として揺動する旋回体と、
前記カム溝をトレースするピン及び回転ギアに噛み合う歯部を有し、前記旋回体に組み込まれて該旋回体の基端側と先端側との間を往復動可能なスライダーと、
前記スライダーを付勢するとともに、スライダーの最前進位置でその付勢力を最小、最後退位置でその付勢力を最大となるよう変位するばね部材とを備え、
前記扉が、閉位置から開方向へ開操作されると、前記旋回体がその開操作に連携して揺動されるとともに、前記スライダーが前記カム溝に対する前記ピンの摺動を伴って前記ばね部材の付勢力を増大する方向へ摺動して前記歯部と前記回転ギアとの噛み合いを形成し、前記歯部と前記回転ギアとの噛み合いを解放するまで前記開位置を保った後、閉位置へ移動されることを特徴とする扉開閉遅延機構。
【請求項２】
前記カム溝が、前記スライダーの最後退位置から前進方向に移行した時点からしばらくの間、前記旋回体を更に前記扉の開放側に揺動するカム形状に形成されている請求項１に記載の扉開閉遅延機構。
【請求項３】
前記回転ギアが、制動用ダンパーの出力軸に装着されている請求項１又は２に記載の扉開閉遅延機構。
【請求項４】
前記固定部材が、前記カム溝を内面に形成しているとともに、前記旋回体や前記回転ギア等を組み込んでいるケースである請求項１から３の何れかに記載の扉開閉遅延機構。
【請求項５】
前記扉がヒンジ用枢軸を支点として回動されるとともに、前記枢軸の軸端に設けられた歯車と前記旋回体の先端面に設けられた歯部とが直接又は中間ギアを介して噛み合わされている請求項１から４の何れかに記載の扉開閉遅延機構。
【請求項６】
前記扉が、閉方向に付勢摺動される引戸であって、前記引戸の開方向の移動に連繋して前記旋回体を揺動させる請求項１から４の何れかに記載の扉開閉遅延機構。
【発明の詳細な説明】
【技術分野】
【０００１】
本発明は、回動式や引戸式の扉を開閉する扉開閉機構のうち、特に扉を付勢力や自重に抗して開方向に切換操作する態様において、開又は半開位置から閉方向への切り換え作動を遅延するようにした扉開閉遅延機構に関する。
【背景技術】
【０００２】
本出願人は先に扉開閉遅延機構として下記特許文献１に示す機構を開発した。この機構は、本体側枠部に対し扉を開閉可能に支持するとともに、扉を閉位置から開方向に回動する場合に用いられるもので、枠部側に設けられてカム溝を形成しているカム体と、カム体と対応して枠部に設けられる回転ギアと、カム溝をトレースするピン及び回転ギアにかみ合う歯部を有して扉と連動して回動可能かつカム体に対しカム溝及びピンの嵌合を介し軸方向へ摺動可能に設けられる可動体と、可動体をカム体から離れる方向に付勢するバネ部材とを備え、扉が閉から開方向に回動操作されると、歯部と回転ギアが噛合い、回転ギアを回転しつつ可動体の軸方向への摺動を伴って噛み合いを解放するまで開位置を保った後、付勢力により閉位置方向へ自動的に回動されるものである。この機構では、例えば、扉が付勢力に抗して開放された後、手を離すと直ちに閉方向へ復帰する構造と比べて、扉が開放された後、暫く開放位置に停止しているため、本体側開口を通じて人が出入りしたり、自動販売機等において商品を取出す際に、扉を開操作した後の停止時間分だけ作業に余裕が生じ、人や商品が開口を通過するまで、扉を片手で押えておく必要がないなどの利点がある。
【０００３】
【特許文献１】特開２００３−１７２０６８号公報
【発明の開示】
【発明が解決しようとする課題】
【０００４】
以上の扉開閉遅延機構では、可動体が扉のヒンジ用枢軸周りに移動する構造となっているため、軸端での取り付けに大きなスペースを必要とし、しかも個々の部品を扉の枢軸の軸端に組付けるため、組立作業性が悪かった。また、軸端に大きなスペースを必要とすることから、通常の本体側枠部などに組み付けることができないため、種々の扉の開閉方向に対応できず、汎用性ないしは実用性に乏しかった。
【０００５】
本発明は、以上の課題を解決するものであって、上下方向の移動を伴わないため省スペースでコンパクトにユニット化が可能であり、各種の扉または引戸にも好適な扉開閉遅延機構を提供するものである。
【課題を解決するための手段】
【０００６】
上記目的を達成するため本発明は、本体側の枠部に対し扉を枠部開口を閉じる閉位置と開放する開位置とに移動切り換える場合に用いられるものであって、前記本体に取り付けられてカム溝を形成している固定部材と、前記固定部材に回動可能に取り付けられる回転ギアと、前記固定部材に揺動可能に取り付けられて前記扉の閉位置から開方向への移動に連繋して基端側を支点として揺動する旋回体と、前記カム溝をトレースするピン及び回転ギアに噛み合う歯部を有し、前記旋回体に組み込まれて該旋回体の基端側と先端側との間を往復動可能なスライダーと、前記スライダーを付勢するとともに、スライダーの最前進位置でその付勢力を最小、最後退位置でその付勢力を最大となるよう変位するばね部材とを備え、前記扉が、閉位置から開方向へ開操作されると、前記旋回体がその開操作に連携して揺動されるとともに、前記スライダーが前記カム溝に対する前記ピンの摺動を伴って前記ばね部材の付勢力を増大する方向へ摺動して前記歯部と前記回転ギアとの噛み合いを形成し、前記歯部と前記回転ギアとの噛み合いを解放するまで前記開位置を保った後、閉位置へ移動されることを特徴としている。
【０００７】
以上の機構において、作動特徴は、扉の閉位置でスライダーがピンのカム溝への嵌合により規制されており、扉が開操作されると、旋回体が扉と連携して揺動され、それに同期して、スライダーがカム溝に対するピンの動きを伴って、ばね部材の付勢を増大する旋回体の基端方向へ摺動される。すると、スライダーはその歯部が回転ギアと噛み合い、該噛み合い状態でばね部材の付勢力により回転ギアの回転を伴って旋回体の先端側へ摺動される。この場合、扉は、スライダー側歯部が回転ギアと噛み合っている間は開位置に維持され、また、スライダー側歯部が回転ギアとの噛み合いを解放すると、スライダーがカム溝に対するピンの動きを伴ってばね部材の付勢力により旋回体の先端側へ摺動され、閉位置方向へ移動切り換えられる。すなわち、この機構では、扉を付勢力又は自重に抗して閉位置から開位置方向へ押し操作するだけで、スライダー側歯部と回転ギアとの噛み合いを介し扉の開位置（開状態）をカム溝とピンとの関係で保ち、以後は付勢力又は自重により扉を閉位置方向へ切り換える。この発明は、特許文献１に比べて機構の簡易化と用途的な制約をなくしながら、扉の開位置から閉位置への移動切り換え作動を遅延できるようにしたものである。この遅延度合、つまり扉を開位置に保ったり閉位置への移動を遅延する時間は、歯部と回転ギアとのギア関係、請求項３の制動ダンパー等の利用により任意に設定できる。
【０００８】
以上の遅延機構では、前記カム溝が前記スライダーの最後退位置から前進方向に移行した時点からしばらくの間、前記旋回体を更に前記扉の開放側に揺動するカム形状に形成されていること（請求項２）、前記回転ギアが制動用ダンパーの出力軸に装着されていること（請求項３）と、前記固定部材が前記カム溝を内面に形成しているとともに、前記旋回体や前記回転ギア等を組み込んでいるケースであること（請求項４）、前記扉がヒンジ用枢軸を支点として回動されるとともに、前記枢軸の軸端に設けられた歯車と前記旋回体の先端面に設けられた歯部とが直接又は中間ギアを介して噛み合わされていること（請求項５）、前記扉が閉方向に付勢摺動される引戸であって、前記引戸の開方向の移動に連繋して前記旋回体を揺動させること（請求項６）が好ましい。
【発明の効果】
【０００９】
・請求項１の発明にあっては、特許文献１と同様に扉が開操作された後、再び閉位置に移動切り換えられるまでの作動を機械的に遅延しながら、特許文献１の機構に比べコンパクト化が図られ、配置や用途上の制約を緩和できる点で優れている。
・請求項２の発明では、扉を開位置に達する途中まで移動操作した後、扉を自動的に開位置へ移動、開位置で保持、閉位置へ移動するため、例えば、開位置方向への移動操作角度又は操作量を少なくして使い勝手を向上できる。
・請求項３の発明では、ダンパーが回転ギアの回転速度を制動することにより、例えば、扉を開位置に保つ時間を長く設定可能にし、本発明の遅延作動の自由度を拡大できる。
・請求項４の発明では、機構の主要部をケースに組付けるためユニット化でき、取扱性や本体側への組立性を向上できる。
・請求項５の発明では回動式扉に好適なものとなり、請求項６の発明では引戸式扉にも適用できる。
【発明を実施するための最良の形態】
【００１０】
以下、本発明の好適な実施の形態を添付図面を参照して説明する。図１〜図４は形態例の扉開閉遅延機構を回動式の扉に適用した第１実施形態を示し、図１は扉開閉遅延機構の構成部材同士の関係を示す概略分解斜視図、図２は組立状態の模式平面図、図３及び図４は扉の開から閉までの動作順序を示す模式平面図である。図５は扉開閉遅延機構を引戸式の扉に適用した第２実施形態を示している。
【００１１】
（第１実施形態）図１及び図２において、扉開閉遅延機構は、扉１が配設される本体（例えば、装置や機器ハウジングやケース）側の枠部２のうち枠天井部に固定される本体ユニット３と、扉１の開閉中心となるヒンジ用枢軸４の軸端に設けられて本体ユニット３に連繋する外部歯車４２や巻きバネ４４等から構成されている。
【００１２】
本体ユニット３は、扁平な扇形の下ケース５と、同じく扁平な扇形の上ケース６とを備え、両ケース５，６内に後述する各可動部品を組込んだ後、両ケース５，６の外周部に設けた複数の係止爪７及び係止溝８を介して互いに抜止め状態に係合することで組み立てられる。そして、本体ユニット３は、ケース５，６の外側にあって複数箇所に突設された取付部９にビスＢを共通に挿通して前記本体側の枠部２の天井面などにネジ込むことにより、本体側へ組み付けられるようになっている。
【００１３】
また、下ケース５には、カム溝３２が凸又は島を囲むよう設けられている。該カム溝３２は、図２において、右前側から、後部に至る曲線状の第１のリード溝３２ａと、第１のリード溝３２ａの最奥部を変極点として左前側に向けて斜めに緩やかに連続する第２のリード溝３２ｂと、第２のリード溝３２ｂの最前部を変極点として左前部に向けて斜めに連続する第３のリード溝３２ｃと、第３のリード３２ｃの左前側を変極点として第１のリード溝３２ａに接続している第４のリード溝３２ｄとからなっており、これら各リード溝３２ａ〜３２ｄにより閉ループ曲線を構成している。なお、細部的には、第３のリード溝３２ｃを区画している内側壁が傾斜面に形成されている。これは、例えば、扉１が開いている状態において、扉１に対し閉方向の強制的外力が作用した場合、後述するスライダー１６のトレース用ピン３４が第３のリード溝３２ｃから前記傾斜面を通って一旦、溝外へ外れてから第４のリード溝３２ｄに入る込むようにし、それにより内部機構の損耗・損傷を防止できるようにする。これに対し、上ケース６にはダンパー配置用の凹部３６が形成されている。該凹部３６は、ケース５，６同士を合わせた状態で、図２に示すようにカム溝３２の第２と第３のリード溝３２ｂ，３２ｃに一部重複した位置に形成されている。
【００１４】
また、本体ユニット３に組込まれる可動部品は、ケース５，６の側面中央に一側部を露出させて枢軸４側へ力の伝達を行う中間ギア１０と、ケース５，６の内部に旋回可能に配置された旋回体１２と、旋回体１２の内部に組込まれるシャフト１４及びスライダー１６並びに圧縮コイルバネ１８と、上ケース６側に設けられてスライダー１６に連繋する回転式ダンパー２２などである。
【００１５】
中間ギア１０は、歯の一部を両ケース５，６の間から外へはみ出した状態に枢支されている。すなわち、両ケース５，６には、側壁部分に内外を連通している窓と、ケース内から該窓の外へ突出している支持部２４と、該支持部２４上に立設された支軸２６とが設けられており、中間ギア１０が前記支軸２６に対し回動可能に枢支されている。また、旋回体１２は、概略扇状又はＬ字形をなし、その後端上下面に突設された軸部２８と、円弧状の前端面に連続して設けられている歯列１２ａとを有している。そして、旋回体１２は、両ケース５、６に対向して形成された軸穴３０に対応する軸部２８をそれぞれ挿通することにより、軸部２８を基点として揺動可能に支持されるとともに、歯列１２ａを中間ギア１０に噛合している。
【００１６】
また、旋回体１２は、上面側が略平坦で上ケース６に対する摺動面に設定されているとともに、下面側が凹状又は前後端壁及び片側壁で区画された空洞となっている。そして、旋回体１２の下面側には、長手方向つまり前後端壁の間に架け渡された状態でシャフト１４が配設されている。該シャフト１４には、スライダー１６が摺動可能に組み付けられるとともに、シャフト１４に軸挿した状態に組み込まれたコイルバネ１８によりスライダー１６を前進方向（旋回体１２の歯列１２ａを形成している側）に付勢している。なお、コイルばね１８は、付勢力がスライダー１６の最前進位置で最小、スライダー１６の最後退位置で最大となり、スライダー１６を介して付勢力を増大するとともに、該増大された付勢力を放出しながら扉遅延動作を実現可能にするものである。
【００１７】
つまり、スライダー１６は、シャフト１４を挿通する貫通孔とともに、片側に設けられてダンパー２２の回転ギア３８に噛み合うラック歯列１６ａと、下面に設けられた逆凹部に装着されているトレース用ピン３４とを有している。ピン３４は、特に図１中で、下側の円Ａに拡大して示すように、スライダー１６の下部に形成された逆凹部に挿通される軸部３４ａと、軸部３４ａの先端面に突出して前記カム溝３２に接触する凸部３４ｂと、前記逆凹部内に一端を係止し他端を軸部３４ａに係止した状態に設けられているスプリング３４ｃとを有しており、スプリング３４ｃによって突出方向へ付勢保持されることで、凸部３４ｂがカム溝３２に適度な圧接力で摺接可能となったり、段落００１１に記載した異常時に第３のリード溝３２ｃから外れるようにしている。
【００１８】
ダンパー２２は、ロータリー式のオイルダンパー等からなり、本体に充填された油等の作動流体の抵抗を受けている出力軸及び該出力軸に装着されてスライダー１６のラック歯列１６ａに噛み合う回転ギア（ピニオンと同じ）３８を有している。また、ダンパー本体には、両側に張り出したフランジ部２２ａ，２２ｂが設けられている。そして、ダンパー２２の取付構造は、特に図２に示すように、上記した凹部３６内において、一方側フランジ部２２ａを凹部３６内に突出したピン３６ａを該フランジ部２２ａに設けた孔に挿入して揺動可能に支持し、他方側フランジ部２２ｂを凹部３６の対応部に形成した係止段部３６ｂ内に嵌合する。また、ダンパー２２は、凹部３６内にあって、フランジ部２２ａと凹部３６の対向壁との間に配置された板バネ４０により付勢されることで遊びが吸収される。そして、ダンパー２２は、回転ギア３８がスライダー側のラック歯列１６ａと噛み合っているときに、強制的な外力が加わることで、板バネ４０のばね圧に抗して図２の矢印方向へ逃げ、噛合状態が解除されるようになっている。
【００１９】
これに対し、上記した扉１のヒンジ用枢軸４には、軸端（上端であるが、下端でもよい）に対し中間ギア１０の外周歯に噛み合う扇形の外部歯車４２が固定されている。また、枢軸４の周囲には巻きばね４４が支持されている。巻きばね４４は、一端が扉１側に係止され、他端が本体側枠部２に係止されることにより、扉１を常に閉位置方向へ付勢している。なお、以上の形態では、扉１が枢軸４を介して水平方向に回動されて開閉される例である。しかし、本発明の扉１は、上下方向に回動されて本体枠部に対し枠部を閉じる閉位置と開放する開位置とに切り換えられる形態でもよく、そのような形態では扉１を閉方向へ付勢するばね部材を省略することも可能である。
【００２０】
また、以上の本体ユニット３を構成する各部材は、ケース５，６内に予め組込まれているため、外部歯車４２の枢軸４に対する固定位置が定りさえすれば、その歯列に対して本体ユニット３側の中間ギア１０を噛み合わせるべく位置決めした後、ビスＢなどにより本体側枠部２の天井部又は底面部側に固定するだけでよく、組立操作を簡単に行うことができるものとなる。
【００２１】
（作動）次に以上の扉開閉遅延機構の動作を図２〜図４により説明する。
ア）まず、図２及び図３（ａ）に示すように扉１が閉位置にあるときには、旋回体１２は図中のケース５，６右側の原点位置にある。また、スライダー１６は、旋回体１２に対し前後方向に配置されたシャフト１４のうち、シャフト１４の前端側である最前進位置にあって、スライダー側ピン３４をカム溝３２の右側先端（第１のリード溝３２ａの基端）に位置させている。コイルバネ１８は伸びきった状態、すなわち付勢力が最も小さな状態である。
【００２２】
イ）扉１が巻きバネ４４の付勢力に抗して閉位置から開方向へ押し操作されたときには、外部歯車４２と中間ギア１０との噛み合い、及び中間ギア１０と旋回体側歯列１２ａの噛み合いを介して、旋回体１２が連携して軸部２８を支点として図中、左側方向に揺動又は旋回される。このときには、図３（ｂ）に示すように、スライダー１６がコイルバネ１８を圧縮しつつシャフト１４に沿って旋回体１２の基端側へ後退するとともに、ピン３４を介してガイド溝３２の第１のリード溝３２ａに沿って後退方向へ移動する。この例では、同図に示すように、扉１が略９０度だけ開いた時点で、ピン３４がカム溝３２の第１のリード３２ａの最奥部に摺動し、その時点でコイルバネ１８が付勢力を最大化した状態に圧縮され、バネエネルギーを蓄える。
【００２３】
ウ）そして、この例では、扉１が略９０度開いた時点で手を扉から離すと、スライダー１６がコイルバネ１８の付勢力により、ピン３４を第１のリード溝３２ａから第２のリード溝３２ｂへ移行を伴って、ダンパー２２側に近づけられ、図４（ａ）に示すように、その歯列１６ａをダンパー２２の回転ギア３８に噛み合わせる。この機構では、その噛合状態において、コイルバネ１８に蓄えられたバネエネルギー（付勢力）を放出しつつ、またダンパー２２の制動作用により、スライダー１６が第２のリード３２ｂに沿ってゆっくりと前進する。この前進状態では、コイルバネ１８の付勢力が巻きバネ４４のバネ圧（扉を閉方向へ付勢する力）よりも大きく、しかも旋回体１５を図中、左側に揺動又は旋回させる力も作用している。このため、扉１は、９０度開いた状態から更に開き方向へ回動し、本体枠部２の開口を広げることになる。
【００２４】
エ）この例では、扉１が略１３０度まで自動で開いた後、図４（ｂ）に示すように、スライダー１６が第３のリード溝３２ｃに沿って更にコイルバネ１８の付勢力を弱めつつ、前進側に移動する。このときは、旋回体１２を右または左側に揺動又は旋回するための力が作用していないため、扉１が最大まで開いた状態が保たれる。
【００２５】
オ）その後は、扉１の停止状態から、スライダー１６がコイルバネ１８の付勢力で前方位置に達し、ピン３４が第３のリード溝３２ｃと第４のリード３２ｄとの変極点に位置した段階で、コイルバネ１８の付勢力が初期の最小状態に戻り、歯列１６ａがダンパー２２の回転ギア３８から離脱する。すると、扉１は、巻きバネ４４の付勢力が高い状態になっているため、この時点から、巻きバネ４４の付勢力によって再び図２及び図３（ａ）に示すように閉方向へ回動されることになる。その過程において、旋回体１２及びスライダー１６は第４のリード溝３２ｄに沿って第１のリード溝３２ａの基端まで摺動するピン３４を介して再び原点位置に復帰する。
【００２６】
なお、以上の扉開閉遅延機能では、扉１を開から閉位置へ手動で戻そうとした場合、前述のごとくピン３４がカム溝３２の第３のリード溝３２ｃから外され、スライダー１６の歯列１６ａがダンパー２２の回転ギア３８から外されて、扉１が急速に閉方向へ回動されることになるが、そのような場合でも扉１の閉位置ではスライダー１６（のピン３４）はカム溝２１の原点位置に復帰するため摩耗や破損することなく、次回から正常な動作を行うことができる。また、以上の実施形態では、本体の上部側だけで本体ユニット３と外部歯車４２とを連繋させたが、扉が大形で重い場合などには本体の上下に設けるようにしてもよい。更に、この形態では、中間ギア１０を介在して外部歯車４４と旋回体１２の歯列１２ａとを連繋させたが、歯車４４と歯列１２ａとを直接噛合するようにしてもよい。その場合には、例えば、ケース５，６の対応側面を全面開口させておくことになる。
【００２７】
（第２実施形態）図５は本発明を右側片開き方式の引戸に適用した一例を模式的に示している。同図において、本体ユニット３の構成は第１実施形態と同様であるので、その説明を省略し、変更した点のみ説明する。
【００２８】
図５において、本体側の壁５０及び柱５１で囲われた開口部５２の上下には、下ガイドレール５３及び不図示の上ガイドレールが配置され、両ガイドレール間に引戸５４が走行可能に配置され、開口部５２の内外を閉鎖している。ここで、引戸５４は、不図示の引っ張りコイルバネ等の付勢手段により常に開口部５２を閉じる方向に付勢されている。また、引戸５４には、ラック５５が上縁内側に沿って固定されている。ラック５５は、本体側の天井部等にビスＢなどを介して固定された本体ユニット３の中間ギア１０に噛合している。
【００２９】
従って、以上の扉開閉遅延機構では、引戸５４が片側に設けられた引手部５４ａを介して水平移動操作されると、第１実施形態と同様の作用により、ある程度開方向へ移動されて開口部５２を開くと、以後は自動的に全開し、少しの間その全開状態を保った後、引戸５４が不図示の付勢手段の付勢力にて再び閉位置へ移動されて自動的に全閉される。ここで、第２実施形態においては、ラック５５と旋回体１２とを中間ギア１０を介して概略１：１に対応させているため、引戸５５の直線移動距離が大きい場合には本体ユニット３も大きくなるが、複数の適宜なギア比の歯車輪列を介在させて移動距離の割に旋回体１２の揺動半径を小さくすることで本体ユニット３の小型化が可能となる。
【００３０】
なお、以上の実施形態は本発明を何ら制約するものではない。本発明は、請求項１で特定される要件を除き種々変形可能なものである。用途は、例えば、自販機における常時閉鎖型の物品取出し口の扉、建物の扉、窓、引戸、或いは車両などの収納部や小物入れのリッド、一般的な小物入れのリッドなどに好適である。
【図面の簡単な説明】
【００３１】
【図１】本発明の扉開閉遅延機構を扉に適用した第１実施形態における部品構成を示す概略分解斜視図である。
【図２】図１の組立状態を示す平面図である。
【図３】（ａ），（ｂ）は扉開閉遅延機構の動作順序を示す模式平面図である。
【図４】（ａ），（ｂ）は図３に引続く動作順序を示す模式平面図である。
【図５】本発明の扉開閉遅延機構を引戸に適用した場合の模式平面図である。
【符号の説明】
【００３２】
１…扉
２…本体側枠部
３…本体ユニット
４…枢軸
５，６…ケース（固定部材）
１０…中間ギア
１２…旋回体
１４…シャフト
１６…スライダー（１６ａは歯列（歯部）、３４はトレース用ピン）
１８…コイルバネ（ばね部材）
２２…制動用ダンパー（３８は回転ギア）
２８…軸部
３２…カム溝
４２…外部歯車
４４…巻きバネ（付勢手段）
５４…引戸
５５…ラック
【図１】
2006193883.tif 000003
【図２】
2006193883.tif 000004
【図３】
2006193883.tif 000005
【図４】
2006193883.tif 000006
【図５】
2006193883.tif 000007